(57)【要約】【課題】本発明の課題は、マスクを長時間装着する場合に伴うマスク紐による耳の痛みを解消する事と、マスクへの取り付けを容易に行うことができ、且つマスク自体の装脱着も安定して容易に行えることを目的とするマスク用係止具を提供することである。【解決手段】本発明のマスク用係止具は、細長い板状、紐状又は棒状の係止具基体に、前記一対のマスク紐を各々係止するための第１係止部と第２係止部とを有し、一方端である前記第１係止部の先端に、第１係合部分と、前記第１係止部の先端から他端へ向う側の離れた位置に第２係合部分を備え、前記第１係合部分と前記第２係合部分との間の位置において、前記一対のマスク紐のうちいずれか一方を短手方向に並行な線を軸にして折りたたみながら取り囲んで第１係合部分と第２係合部分を結合してマスク紐を連結し、前記第２係止部には、前記一対のマスク紐のもう一方を引っ掛けて係止する係止手段を有する。【選択図】図１
2016083250.tif 000002
【特許請求の範囲】
【請求項１】
マスク本体に付設された一対のマスク紐を係止して、マスクの紐が耳にかからないようにすることでマスク装着時の痛みや違和感を緩和するマスク用係止具であって、細長い板状、紐状又は棒状の係止具基体に、前記一対のマスク紐を各々係止するための第１係止部と第２係止部とを有し、一方端である前記第１係止部の先端に、第１係合部分と、前記第１係止部の先端から他端へ向う側の離れた位置に第２係合部分を備え、前記第１係合部分と前記第２係合部分との間の位置において、前記一対のマスク紐のうちいずれか一方を、前記係止具基体の短手方向に並行な線を軸にして折りたたみながら取り囲んで第１係合部分と第２係合部分を結合してマスク紐を連結し、前記第２係止部には、前記一対のマスク紐のもう一方を引っ掛けて係止する係止手段を有することを特徴とするマスク用係止具。
【請求項２】
前記第１係合部分と前記第２係合部分は、前記係止具基体上で前記先端から離れた位置に備えられた任意の形の係合孔と、前記係合孔に嵌められるものであって、前記先端に備えられた引掛かり部分を有する差込部であることを特徴とする請求項１記載のマスク用係止具。
【請求項３】
前記第１係合部分と前記第２係合部分は、互いに嵌め合うボタン又は、互いに結合するベルクロ(商標登録)、互いに結び合う紐であることを特徴とする請求項１記載のマスク用係止具。
【請求項４】
前記係止手段は、前記マスク紐を引っ掛けるため係止具基体上に設けられるものであり、任意の間隔で形成された切り込み溝であるか、又は、フックであることを特徴とする請求項１から請求項３いずれか１つに記載のマスク用係止具。
【請求項５】
前記係止具基体は、軟質樹脂、シリコンゴム、布、紙、の内、いずれか一つ又は複数組み合わせて用いることを特徴とする請求項１から請求項４いずれか１つに記載のマスク用係止具。
【発明の詳細な説明】
【技術分野】
【０００１】
本発明は、マスクを装着する際、マスクの紐を係止するためのマスク用係止具に関するものである。
【背景技術】
【０００２】
従来より、病気感染予防、防塵、花粉症対策等を目的としてマスクが用いられている。その中でも、もっとも一般的なマスクの形態としては、図４の４−A、４−Bに示したようにゴム紐等を両側に配して耳にかけて使用する物が挙げられる。しかし、頻繁にマスクを利用する医療従事者や花粉症患者、防塵を必要とする職種等においては、長時間継続してマスクのゴム紐を両耳にかけている事で、痛みや不快を感じるという問題がある。
【０００３】
そのような中、特許文献１に見られるようなマスク紐の耳に接触する部分に緩衝材を用い、接触による痛みを緩和するように考案されたものがあった。しかしながら、耳にマスク紐をかけているかぎり、耳とマスク紐の接触が継続される為、接触している箇所の痛みや不快感を取り除く点で十分とは言えなかった。
【０００４】
また、特許文献２に見られるように、耳の裏側への接触をさせないという観点から、耳穴に挿入する耳栓、イヤホン、補聴器を利用してマスクを固定する物もあった。しかし、一般に普及している形態のマスクを用いる場合、マスク紐は耳に掛ける事を前提に長さが決められている為、耳穴を支点にして使用する場合には、マスク紐が長すぎて口元への密着度合いが低くなるのを避けるためにマスク紐を適宜調節する手間が生じるばかりか、両耳の穴に挿入している部分のみで支持しているため、耳穴に挿入した部分にすべての負荷がかかり、耳穴痛や挿入した耳栓等が脱落しやすいという問題点があった。
【０００５】
そのような事に鑑みて、特許文献３や特許文献４に見られるように、マスク本体の左右に付設された紐を耳に掛けず、後頭部を橋渡しするように介してマスク紐を係止する補助具が考案されていた。
【０００６】
特許文献３では、左右各々のマスク紐を係止する為、細長い薄板状の係止具の長手方向に位置する左右両端近傍に、係止具長手方向辺縁から短手方向に対して内側に向かって幾つかの切り込みを設け、左右のマスク紐をその切り込みに引っ掛けるような形でマスク装着を行うようになっていた。しかし、左右のマスク紐は、係止具左右両端部分にそれぞれ引っかかっているだけの状態の為、左右どちら側の両端においてもマスク紐が脱落しやすく、マスクが落ちてしまうという欠点があった。また、係止具を装着する際においても、たとえば、右側のマスク紐を係止具の一端の切り込みに引っ掛けてから、後頭部を介して他端部分の切り込みへ左側のマスク紐を引っ掛けるようにして装着する為、先に引っ掛けた右側のマスク紐が切り込みから脱落してしまう可能性が高く、安定して装着することができないという問題もあった。
【０００７】
特許文献４では、細長い形状をした係止具両端それぞれの近傍に、係止突起を付設すると共に、係止具の長手方向に対して中心方向に向かう側で、付設した係止突起から少し離れた場所に係止孔が設けられており、係止孔と係止突起の中間位置付近を軸にしてマスク紐を包容しつつ折りたたみながら係止孔に係止突起を嵌めこんで、マスク紐と係止具を連結してマスク装着するものが考案されている。しかしながら、この係止具を用いてマスクを装着する場合、マスク紐を係止する場所を適宜に調節して装着具合を調整することが難しかしく、さらに、マスクの片側の紐をかけながら基体を折りたたんで連結し、その後、装着者の視界が届かない後頭部で「もう片側の紐をかけながら基体を折りたたんで係止孔に係止突起を嵌めこむ」という作業をしなければならず、結局、左右のマスク紐を連結した後、被るようにして装着しなければならないような面倒くささがあり、容易に装着できないという欠点があった。
【先行技術文献】
【特許文献】
【０００８】
【特許文献１】特願２００６−２２３７９２
【特許文献２】特願２０１３−１７２９３９
【特許文献３】特願２０１３−２５２３３９
【特許文献４】特願２０１１−０５５８９６
【発明の概要】
【発明が解決しようとする課題】
【０００９】
本発明の課題は、マスクを長時間装着する場合に伴うマスク紐による耳の痛みを解消する事と、マスクへの取り付けを容易に行うことができ、且つマスク自体の装脱着も安定して容易に行えることを目的とするマスク用係止具を提供することである。
【課題を解決するための手段】
【００１０】
本発明のマスク用係止具は、細長い板状、紐状又は棒状の係止具基体に、前記一対のマスク紐を各々係止するための第１係止部と第２係止部とを有し、一方端である前記第１係止部の先端に、第１係合部分と、前記第１係止部の先端から他端へ向う側の離れた位置に第２係合部分を備え、前記第１係合部分と前記第２係合部分との間の位置において、前記一対のマスク紐のうちいずれか一方を短手方向に並行な線を軸にして折りたたみながら取り囲んで第１係合部分と第２係合部分を結合してマスク紐を連結し、前記第２係止部には、前記一対のマスク紐のもう一方を引っ掛けて係止する係止手段を有することを特徴とする。以下、請求項に沿って記述する。    
【００１１】
請求項１記載の発明は、マスク本体に付設された一対のマスク紐を係止して、マスクの紐が耳にかからないようにすることでマスク装着時の痛みや違和感を緩和するマスク用係止具であって、細長い板状、紐状又は棒状の係止具基体に、前記一対のマスク紐を各々係止するための第１係止部と第２係止部とを有し、一方端である前記第１係止部の先端に、第１係合部分と、前記第１係止部の先端から他端へ向う側の離れた位置に第２係合部分を備え、前記第１係合部分と前記第２係合部分との間の位置において、前記一対のマスク紐のうちいずれか一方を短手方向に並行な線を軸にして折りたたみながら取り囲んで第１係合部分と第２係合部分を結合してマスク紐を連結し、前記第２係止部には、前記一対のマスク紐のもう一方を引っ掛けて係止する係止手段を有することを特徴とする。
【００１２】
請求項２記載の発明は、請求項1記載のマスク用係止具であって、前記第１係合部分と前記第２係合部分は、前記係止具基体上で前記先端から離れた位置に備えられた任意の形の係合孔と、前記係合孔に嵌められるものであって、前記先端に備えられた引掛かり部分を有する差込部であることを特徴とする。
【００１３】
請求項３記載の発明は、請求項1記載のマスク用係止具であって、前記第１係合部分と前記第２係合部分は、互いに嵌め合うボタン又は、互いに結合するベルクロ(商標登録)、互いに結び合う紐であることを特徴とする。
【００１４】
請求項４記載の発明は、請求項１から請求項３いずれか１つに記載のマスク用係止具であって、前記係止手段は、前記マスク紐を引っ掛けるため係止具基体上に設けられるものであり、任意の間隔で形成された切り込み溝であるか、又は、フックであることを特徴とする。
【００１５】
請求項５記載の発明は、請求項1から請求項４いずれか１つに記載のマスク用係止具であって、前記係止具基体は、軟質樹脂、シリコンゴム、布、紙、の内、いずれか一つ又は複数組み合わせて用いることを特徴とする。
【発明の効果】
【００１６】
以上の様に構成されているので、本発明のマスク用係止具は、マスクを長時間装着する場合に伴うマスク紐による耳の痛みを解消し、且つ、容易にマスクの着脱を行うことが可能となる。
【図面の簡単な説明】
【００１７】
【図１】本発明に係るマスク用係止具の一実施態様を示す図である。
【図２】本発明に係るマスク用係止具の一実施態様を示す図である。
【図３】本発明に係るマスク用係止具の一実施態様を示す図である。
【図４】従来のマスク使用の一実施態様を示す図である。
【発明を実施するための形態】
【００１８】
本発明のマスク用係止具は、マスク本体に付設された左右一対のマスク紐を係止して、マスク装着時の痛みや違和感を緩和するマスク用係止具であって、細長い板状又は棒状又は紐上の軟質素材から成る基体の左右両端近傍に、前記左右一対のマスク紐を各々係止するための第１係止部と第２係止部とを有し、一方端の前記第１係止部では、先端部分近傍に第１係合部分と、前記先端部分から離れた所望の位置(例えば、長手方向長さの５分の１程度の長さとなる位置)に第２係合部分を設け、前記第１係合部分と前記第２係合部分との中間位置付近において、前記左右一対のマスク紐のうちいずれか一方を包容しつつ短手方向に並行な線を軸にして折りたたみ、前記係合部分同士を係合してマスク紐を連結し、他端の前記第２係止部には、前記左右一対のマスク紐のもう一方を引っ掛けにより連結することを特徴とする。以下図に沿って説明する。
【００１９】
図１の１−Aは、本発明に係るマスク用係止具の一実施態様を示す図である。まずは全体の構成を説明する。マスク用係止具基体１０１は、細長い板状で、屈曲が自由に行えて、裁断などの加工も容易に行えるポリエチレンシート等の軟質素材を用いており、前記マスク用係止具の長手方向の一端には、差込部である引掛かり部分１０２と係合孔１０３によって構成された第１係止部１０５、他端には、切り込み溝１０４を有する第２係止部１０６を設け、左右のマスク紐をそれぞれ第１係止部１０５、第２係止部１０６に係止できるよう構成されている。
【００２０】
次に、マスクを装着する際のマスク紐の係止方法について説明する。図２では、第１係止部１０５の係合方法を表している。まず、図２の２−Ａでは、差込部である引掛かり部分１０２が係合孔１０３へ挿入されていることを表している。
【００２１】
第１係止部１０５における動きとして、マスク用係止具基体１０１の短手方向に対して平行な線を軸にし、片側のマスク紐を包容しつつ折りたたみながら、引掛かり部分１０２の先端部分から係合孔１０３へ押しこむように挿入する。この時、引掛かり部分１０２の鏃状の一対の突起部分が係合孔１０３に引っかかることにより固定され、図２−Ｂに表したように、第１係止部１０５に片側のマスク紐２０２が保持される。尚、引掛かり部分１０２の形状は、図面においては「鏃状」であるが、係合孔１０３に引っかけて固定する事ができる形状であれば、その形状はこれに限るものではない。また、係合孔１０３の形状については図に記載したような矩形に限らず円形や楕円形等、その他の形状であっても構わないし、その大きさについても引掛かり部分１０２が引っかかる大きさであれば構わない。尚、係合孔１０３を設ける位置は、引掛かり部分１０２を成す部分以外であればマスク用係止具基体１０１のどの位置に設けても良いが、引掛かり部分１０２を含む側の先端から、マスク用係止具基体１０１の長手方向長さに対して５分の１程度の長さとなる位置に１個又は複数個設けることが望ましい。
【００２２】
次に、本発明に係るマスク用係止具を装着する際の説明をする。図３の３−Ａ、図２の２−Ｂは、一般的な市販マスクに本発明に係るマスク用係止具を取り付けた所の一実施態様を表した図である。図３の３−Ａでは、図２の２−Ｂの状態からの次のアクションとして、図２の２−Ｂにおいては連結されていなかったもう片側のマスク紐を、切り込み溝１０４に入れ込むようにして引っ掛けることにより、マスク用係止具基体１０１と連結をする。また、図３の３−Ｂに表したように、マスク装着者の後頭部を橋渡しするように介してマスク紐を係止する時、切り込み溝１０４への係止もわざわざ目視して行わなくても容易に装着することができる。
【００２３】
さらに、切り込み溝１０４は、所望の角度で数カ所に離間して設けられている為、任意に選択した切り込み溝１０４へマスク紐をかける事により、マスクを後頭部に橋渡す長さを調節することが可能であり、装着者は、マスク装着感の強弱も変更することができる。切り込み溝１０４は、一ヶ所でも良いことは勿論である。
【００２４】
尚、第１係止部１０５側又は、マスク係止基体１０１に長さ調節手段を設ければ、第２係止部１０６側に長さ調節手段は必ずしも必要ない。
【００２５】
以上、図に沿って本発明に係るマスク用係止具における一実施態様について説明してきたが、その他の実施態様として、第１係止部１０５に、互いに結合するボタンやピン、ベルクロ(商標登録)や紐などを用いたもの、第２係止部１０６には、マスク紐２０２が係止されるピンやフック、引掛け片等の突起物を用いても良い。理解を助けるため、上記説明の第１係止部１０５と第２係止部１０６の他の例として、図１の１−Ｂにフック及び引っ掛け片の例、１−Cにボタン及びベルクロ(商標登録)の例を記す。尚、引掛かり部分１０２、係合孔１０３を含め、図１の１−Ｂ、１−Ｃにおいても、第１係合部、他方を第２係合部と表している。
【００２６】
その他、マスク係止具基体１０１に用いる素材については、ポリエチレン、ポリエステル、ＰＶＣ、シリコンゴム、布、紙など、屈曲が自由に行えて、裁断などの加工も容易に行える素材であれば良い。
【産業上の利用可能性】
【００２７】
以上の様に本発明によるマスク用係止具は、マスク本体に付設された一対のマスク紐を係止して、マスクの紐が耳にかからないようにすることでマスク装着時の痛みや違和感を緩和すると共に、マスクを装着する際、一端側のマスク紐が外れないように係止されている為、他端側にもう片方のマスク紐を掛ける時にもマスク紐が外れる事がないという利点があり、マスク自体の装着を安定して容易に行うことが可能となるため、産業上の利用性が極めて大きい。
【符号の説明】
【００２８】
１０１    マスク用係止具基体
１０２    引掛かり部分
１０３    係合孔
１０４    切り込み溝
１０５    第１係止部
１０６    第２係止部
１０７    フック
１０８    引っ掛け片
１０９    ボタン
１１０    ベルクロ(商標登録)
２０１    マスク本体
２０２    マスク紐                                                          
【図１】
2016083250.tif 000003
【図２】
2016083250.tif 000004
【図３】
2016083250.tif 000005
【図４】
2016083250.tif 000006